(57)【特許請求の範囲】
【請求項１】
内部に物品を収納可能な収納トレイと、前記収納トレイが設置されるキャビネット本体と、を備えるキャビネットであって、
前記収納トレイは、
物品が載置可能な底面部と、
前記底面部の一端側から上方へ向かって立設された第一立壁部と、
前記底面部の他端側から上方へ向かって立設された第二立壁部と、を有し、
前記第一立壁部の高さは、前記第二立壁部の高さより大きく、
前記収納トレイは、前記第一立壁部が前記第二立壁部より前方側に位置するように配置された第一状態と、前記第二立壁部が前記第一立壁部より前方側に位置するように配置された第二状態と、を切り替えて前記キャビネット本体に設置することが可能であることを特徴とするキャビネット。
【請求項２】
前記収納トレイは、前記キャビネット本体に対して着脱自在に固定可能な固定部をさらに有し、
前記固定部は、前記収納トレイが第一状態である際でも、前記収納トレイが第二状態である際でも、前記キャビネット本体に対して着脱自在に固定可能であることを特徴とする請求項１に記載のキャビネット。
【請求項３】
前記固定部が着脱自在に固定可能な被固定部を備え、
前記固定部は、前記底面部の下面に設けられ、前記被固定部に固定可能な底面側第一固定部及び底面側第二固定部を有し、
前記底面側第一固定部は、前記第二立壁部より前記第一立壁部に近い位置に設けられており、
前記底面側第二固定部は、前記第一立壁部より前記第二立壁部に近い位置に設けられており、
前記底面側第一固定部及び前記底面側第二固定部は、前記第一立壁部と前記第二立壁部との間における中央線から略等距離となる位置に設けられていることを特徴とする請求項２に記載のキャビネット。
【請求項４】
前記固定部が着脱自在に固定可能な被固定部を備え、
前記固定部は、
前記底面部の下面に設けられ、前記収納トレイが第一状態である際に前記被固定部に固定可能な第一固定部と、
前記底面部の下面に設けられ、前記収納トレイが第二状態である際に前記被固定部に固定可能な第二固定部と、を有し、
前記収納トレイが第一状態である際に前記第一固定部が固定されている被固定部の前記第一立壁部と前記第二立壁部との間における中央線からの距離は、前記収納トレイが第二状態である際に前記第二固定部が固定されている被固定部の前記中央線からの距離と、略同一であることを特徴とする請求項２に記載のキャビネット。
【請求項５】
前記底面部の一端側から下方へ向かって立設された第三立壁部と、
前記底面部の他端側から下方へ向かって立設された第四立壁部と、をさらに備え、
前記第三立壁部及び前記第四立壁部との間に、前記固定部が配置されることを特徴とする請求項２又は３に記載のキャビネット。
【請求項６】
前記収納トレイは、前記キャビネット本体の内部空間に設置され、前記内部空間の左右内壁面の前方の端部から後方へ向かって切り欠かれた切り欠き部を備え、
前記収納トレイは、前記収納トレイの側面を形成する側壁部と、それぞれの前記側壁部から外側へ向かって突出するように設けられた第一突起及び第二突起と、をさらに備え、
前記切り欠き部は、前記第一突起及び前記第二突起が嵌合することで前記収納トレイの上下方向の動きを規制することを特徴とする請求項１に記載のキャビネット。
【請求項７】
前記収納トレイの前方方向への移動を規制する規制手段をさらに備えたことを特徴とする請求項６に記載のキャビネット。
【発明の詳細な説明】
【技術分野】
【０００１】
本発明の態様は、一般的に、物品を収納可能な収納トレイを備えたキャビネットに関する。
【背景技術】
【０００２】
従来、キャビネットの開口部の内部に設置され、内部に物品を収納可能な収納トレイが知られている。この収納トレイによれば、前方側に立壁部（前板）が立設しており、この立壁部によって、収納トレイの内部に収納された物品が、収納トレイの前方から落下してしまうことを防ぐことができる。
【０００３】
背の高い物品がこのような収納トレイに収納された場合において、立壁部によってこの物品の落下を防ぐためには、立壁部の高さがある程度大きい必要がある。一方で、立壁部の高さが大きい収納トレイであると、背の低い物品が収納された場合には、立壁部によってこの物品を前方側から視認しづらくなり、物品が収納トレイから取り出しにくくなるといった課題がある。
【０００４】
一方、特許文献１は、深い収納面と浅い収納面が裏表に形成された収納トレイが開示されている。この特許文献１に記載された収納トレイにおいては、上下に反転させて使用することで、収納面から立壁部である前板の上端までの距離が異なる２つの状態のどちらかに切り替えて、キャビネットの内部に設置させることができる。しかし、このような収納トレイにおいては、上下両面に収納面が形成されているため、収納トレイ全体の高さに対して背の高い物品を収納しづらくなるため、どちらの収納面を用いても背の高い物品の落下を防止しづらいという課題がある。
【先行技術文献】
【特許文献】
【０００５】
【特許文献１】特開２０１３−８５９１２号公報
【発明の概要】
【発明が解決しようとする課題】
【０００６】
本発明は、かかる課題の認識に基づいてなされたものであり、背の高い物品が収納された場合にも収納された物品の落下を防ぐことができる状態と、背の低い物品が収納された場合にも物品の視認性を確保することができる状態とを切り替えることができ、且つ、収納トレイ全体の高さに対して背の高い物品を収納できる収納トレイを備えたキャビネットを提供することを目的とする。
【課題を解決するための手段】
【０００７】
第１の発明は、内部に物品を収納可能な収納トレイと、前記収納トレイが設置されるキャビネット本体と、を備えるキャビネットであって、前記収納トレイは、物品が載置可能な底面部と、前記底面部の一端側から上方へ向かって立設された第一立壁部と、前記底面部の他端側から上方へ向かって立設された第二立壁部と、を有し、前記収納トレイは、前記第一立壁部の高さは、前記第二立壁部の高さより大きく、前記第一立壁部が前記第二立壁部より前方側に位置するように配置された第一状態と、前記第二立壁部が前記第一立壁部より前方側に位置するように配置された第二状態と、を切り替えて前記キャビネット本体に設置することが可能であることを特徴とするキャビネットである。
【０００８】
このキャビネットによれば、収納トレイは、キャビネット本体に設置される収納トレイの第一立壁部の高さは第二立壁部の高さより大きく、第一立壁部が第二立壁部より前方側に位置するように配置された第一状態と、第二立壁部が第一立壁部より前方側に位置するように配置された第二状態と、を切り替えてキャビネット本体に設置することが可能であるため、背の高い物品が収納トレイの内部に収納された場合には、収納トレイを第一状態でキャビネット本体に設置することで、第一立壁部によって、物品の落下を防ぐことができ、背の低い物品が収納トレイの内部に収納された場合には、収納トレイを第二状態でキャビネット本体に設置することで、第二立壁部によって、物品の落下を防ぎつつ、物品の視認性を確保することができる。また、収納トレイの上下両面に収納面を設けないため、収納トレイ全体の高さに対して物品を収納できる深さを大きく確保することができ、収納トレイを必要以上に大型化することなく背の高い物品の落下をより確実に防止できる。
【０００９】
第２の発明は、第１の発明において、前記収納トレイは、前記キャビネット本体に対して着脱自在に固定可能な固定部をさらに有し、前記固定部は、前記収納トレイが第一状態である際でも、前記収納トレイが第二状態である際でも、前記キャビネット本体に対して着脱自在に固定可能であることを特徴とするキャビネットである。
【００１０】
このキャビネットによれば、収納トレイが第一状態であった場合でも、第二状態であった場合でも、キャビネット本体に対して着脱自在に固定可能な固定部をさらに備えたため、収納トレイを第一状態でキャビネット本体に設置した場合にも、収納トレイを第二状態でキャビネット本体に設置した場合にも、確実に収納トレイをキャビネット本体に固定することができ、収納トレイが不意の外力によりキャビネット本体から外れてしまうことを抑制することができる。
【００１１】
第３の発明は、第２の発明において、前記固定部が着脱自在に固定可能な被固定部を備え、前記固定部は、前記底面部の下面に設けられ、前記被固定部に固定可能な底面側第一固定部及び底面側第二固定部を有し、前記底面側第一固定部は、前記第二立壁部より前記第一立壁部に近い位置に設けられており、前記底面側第二固定部は、前記第一立壁部より前記第二立壁部に近い位置に設けられており、前記底面側第一固定部及び前記底面側第二固定部は、前記第一立壁部と前記第二立壁部との間における中央線から略等距離となる位置に設けられていることを特徴とするキャビネットである。
【００１２】
このキャビネットによれば、収納トレイを第一状態と第二状態とに切り替えてキャビネット本体に設置する際に、底面側第一固定部が固定されていた被固定部に対して底面側第二固定部を固定させることができ、また、底面側第二固定部が固定されていた被固定部に対して底面側第一固定部を固定させることができる。したがって、極めて簡単な構造で、第一状態と第二状態とを切り替え可能な収納トレイを着脱自在にキャビネット本体に固定することができる。また、底面側第一固定部及び底面側第二固定部は第一立壁部と第二立壁部との間における中央線から等距離となる位置に設けられているため、収納トレイを第一状態でキャビネット本体に設置したときの第一立壁部の位置は、収納トレイを第二状態でキャビネット本体に設置したときの第二立壁部の位置と、略同一となる。よって、第一状態の収納トレイと第二状態の収納トレイとで、収納トレイが設置されたキャビネット本体を正面から見た際の見え方が統一される。したがって、収納トレイが設置されたキャビネット本体を正面から見た際の美観が損なわれることを抑制できる。
【００１３】
第４の発明は、第２の発明において、前記固定部が着脱自在に固定可能な被固定部を備え、前記固定部は、前記底面部の下面に設けられ、前記収納トレイが第一状態である際に前記被固定部に固定可能な第一固定部と、前記底面部の下面に設けられ、前記収納トレイが第二状態である際に前記被固定部に固定可能な第二固定部と、を有し、前記収納トレイが第一状態である際に前記第一固定部が固定されている被固定部の前記第一立壁部と前記第二立壁部との間における中央線からの距離は、前記収納トレイが第二状態である際に前記第二固定部が固定されている被固定部の前記中央線からの距離と、略同一であることを特徴とするキャビネットである。
【００１４】
このキャビネットによれば、収納トレイを第一状態と第二状態とに切り替えてキャビネット本体に設置する際に、第一固定部が固定されていた被固定部に対して第二固定部を固定させることができ、また、第二固定部が固定されていた被固定部に対して第一固定部を固定させることができる。したがって、極めて簡単な構造で、第一状態と第二状態とを切り替え可能な収納トレイを着脱自在にキャビネット本体に固定することができる。また、収納トレイが第一状態である際に第一固定部が固定されている被固定部の第一立壁部と第二立壁部との間における中央線からの距離は、収納トレイが第二状態である際に第二固定部が固定されている被固定部の中央線からの距離と略同一であるため、収納トレイを第一状態でキャビネット本体に設置したときの第一立壁部の位置は、収納トレイを第二状態でキャビネット本体に設置したときの第二立壁部の位置と、略同一となる。よって、第一状態の収納トレイと第二状態の収納トレイとで、収納トレイが設置されたキャビネット本体を正面から見た際の見え方が統一される。したがって、収納トレイが設置されたキャビネット本体を正面から見た際の美観が損なわれることを抑制できる。
【００１５】
第５の発明は、第３又は第４の発明において、前記底面部の一端側から下方へ向かって立設された第三立壁部と、前記底面部の他端側から下方へ向かって立設された第四立壁部と、をさらに備え、前記第三立壁部及び前記第四立壁部との間に、前記固定部が配置されることを特徴とするキャビネットである。
【００１６】
このキャビネットによれば、底面部の一端側から下方へ向かって立設された第三立壁部と、底面部の他端側から下方へ向かって立設された第四立壁部と、をさらに備え、第三立壁部及び第四立壁部との間に、第一固定部及び第二固定部が配置されるため、収納トレイを第一状態でキャビネット本体に設置した場合にも、収納トレイを第二状態でキャビネット本体に設置した場合にも、第一固定部及び第二固定部を第三立壁部及び第四立壁部によって前方側から隠蔽することができ、収納トレイが設置されたキャビネット本体を正面から見た際の美観を向上させることができる。
【００１７】
第６の発明は、第１の発明において、前記収納トレイは、前記キャビネット本体の内部空間に設置され、前記内部空間の左右内壁面の前方の端部から後方へ向かって切り欠かれた切り欠き部を備え、前記収納トレイは、前記収納トレイの側面を形成する側壁部と、それぞれの前記側壁部から外側へ向かって突出するように設けられた第一突起及び第二突起と、をさらに備え、前記切り欠き部は、前記第一突起及び前記第二突起が嵌合することで前記収納トレイの上下方向の動きを規制することを特徴とするキャビネットである。
【００１８】
このキャビネットによれば、収納トレイは、それぞれの側壁部から外側へ向かって突出するように設けられた第一突起及び第二突起を備え、キャビネット本体の切り欠き部は、第一突起及び第二突起が嵌合することで収納トレイの上下方向の動きを規制することにより、収納トレイの側壁部にそれぞれ設けられた第一突起及び第二突起を切り欠き部に嵌合させるだけで、第一状態と第二状態とを切り替え可能な収納トレイを着脱自在にキャビネット本体に設置することができる。よって、極めて簡単な構造で、第一状態と第二状態とを切り替え可能な収納トレイを着脱自在に設置することができる。
【００１９】
第７の発明は、第６の発明において、前記収納トレイの前方方向への移動を規制する規制手段をさらに備えたことを特徴とするキャビネットである。
【００２０】
このキャビネットによれば、収納トレイの前方方向への移動を規制する規制手段をさらに備えたことにより、収納トレイの側壁部にそれぞれ設けられた第一突起及び第二突起を切り欠き部に嵌合させ、第一状態と第二状態とを切り替え可能な収納トレイを着脱自在にキャビネット本体に設置した際にも、規制手段によって、収納トレイの前方方向への移動を規制することができる。したがって、収納トレイに前方方向への外力が加わった際にも、収納トレイがキャビネット本体から外れて落下してしまうことを防ぐことができる。
【発明の効果】
【００２１】
本発明の態様によれば、背の高い物品が収納された場合にも収納された物品の落下を防ぐことができる状態と、背の低い物品が収納された場合にも物品の視認性を確保することができる状態とを切り替えることができ、且つ、収納トレイ全体の高さに対して背の高い物品を収納できる収納トレイを備えたキャビネットを提供することができる。
【図面の簡単な説明】
【００２２】
【図１】本発明の第１の実施の形態に係るキャビネットを示す模式的斜視図である。
【図２】図１のキャビネットが備えている収納トレイを示す模式的斜視図である。
【図３】図２の収納トレイを示す模式的断面図である。
【図４】図３の収納トレイをキャビネット本体に取り付ける過程を示す模式的断面図である。
【図５】図４の収納トレイがキャビネット本体に取り付けられた状態を示す模式的断面図である。
【図６】第一状態の図２の収納トレイに物品が収納された状態を示す模式的断面図である。
【図７】図６の物品が収納された収納トレイを示す模式的正面図である。
【図８】第二状態の図２の収納トレイに物品が収納された状態を示す模式的断面図である。
【図９】図８の物品が収納された収納トレイを示す模式的正面図である。
【図１０】図１のキャビネットの正面に使用者が位置している状態を示す模式的断面図である。
【図１１】本発明の第２の実施の形態に係るキャビネットが備えている収納トレイを示す模式的断面図である。
【図１２】図１１における収納トレイを第一状態でキャビネット本体に取り付ける過程を示す模式的断面図である。
【図１３】図１１における収納トレイを第二状態でキャビネット本体に取り付ける過程を示す模式的断面図である。
【図１４】本発明の第３の実施の形態に係るキャビネットが備えている収納トレイを示す模式的斜視図である。
【図１５】図１４の収納トレイが取り付けられたキャビネット本体を示す模式的斜視図である。
【図１６】図１４の収納トレイをキャビネット本体に取り付ける過程を示す模式的断面図である。
【発明を実施するための形態】
【００２３】
以下、本発明の実施の形態について図面を参照しつつ説明する。なお、各図面中、同様の構成要素には同一の符号を付して詳細な説明は適宜省略する。
また、本発明において、使用者がキャビネット１００に向かって立っている位置が、キャビネット１００に対する「前方」であると定義する。
【００２４】
図１は、本発明の第１の実施の形態に係るキャビネットを示す模式的斜視図である。
なお、図１（ａ）は、２枚のミラーが開いているキャビネットを示す模式的斜視図であり、図１（ｂ）は、ミラーを取り外した状態のキャビネットを示す模式的斜視図である。
【００２５】
図１に示すように、キャビネット１００は、例えば樹脂で形成されたキャビネット本体１と、キャビネット本体１の内部空間に載置された収納トレイ２と、を備えている。このキャビネット１００は、例えば、水を吐出する水栓装置や、その水を受けるボウル部を備えた洗面台の上方に設置される。キャビネット本体１の上方には、発光素子を光源に有する照明装置（図示せず）が設置される。この照明装置は、キャビネット１００の前方に立っている使用者に向かって光を照射する。キャビネット本体１は、ミラー４を有しており、このミラー４を開閉させることによって、キャビネット本体１の内部空間を開放・隠蔽できる。なお、本発明の実施の形態においては、収納トレイ２は、キャビネット本体１の内部空間に収納されるものであるが、本発明はそれに限らず、例えば、キャビネット本体１の前方に設けられた棚に載置される構成などであっても良い。
【００２６】
図２は、図１のキャビネットが備えている収納トレイを示す模式的斜視図である。図３は、図２の収納トレイを示す模式的断面図である。
なお、図２（ａ）は、第一状態の収納トレイを示す模式的斜視図であり、図２（ｂ）は、第二状態の収納トレイを示す模式的斜視図である。
また、図３（ａ）は、第一状態の収納トレイを示す模式的断面図であり、図３（ｂ）は、第二状態の収納トレイを示す模式的断面図である。
【００２７】
図２、３に示すように、収納トレイ２は、物品が載置可能な底面部６と、底面部６の一端側から上方へ向かって立設された第一立壁部８と、底面部６の他端側（第一立壁部８が設けられた一端側とは反対の側）から上方へ向かって立設された第二立壁部１０と、を有している。収納トレイ２は、例えばポリプロピレン樹脂製である。第一立壁部８の高さは、第二立壁部１０の高さより大きい。なお、底面部６、第一立壁部８、第二立壁部１０は、一体に形成されている。
【００２８】
収納トレイ２は、図２（ａ）に示すような、第一立壁部８が第二立壁部１０より前方側に位置するように配置された第一状態と、図２（ｂ）に示すような、第二立壁部１０が第一立壁部８より前方側に位置するように配置された第二状態と、を切り替えてキャビネット本体１に設置することが可能である。
【００２９】
収納トレイ２は、キャビネット本体１に対して着脱自在に固定可能な固定部１２を有する。固定部１２は、底面部６の下面に設けられ、キャビネット本体１に設けられた被固定部１４（図４参照）に固定可能な底面側第一固定部１２ａ及び底面側第二固定部１２ｂを有する。即ち、本発明の第１の実施の形態において、固定部１２は、底面部６の下面に設けられ、収納トレイ２が第一状態である際に、キャビネット本体１に設けられた被固定部１４に固定可能な第一固定部であり、収納トレイ２が第二状態である際にも被固定部１４に固定可能な第二固定部である。
【００３０】
このように、収納トレイ２が第一状態であった場合でも、第二状態であった場合でも、キャビネット本体１に対して着脱自在に固定可能な固定部１２を備えたため、収納トレイ２を第一状態でキャビネット本体１に設置した場合にも、収納トレイ２を第二状態でキャビネット本体１に設置した場合にも、確実に収納トレイ２をキャビネット本体１に固定することができ、収納トレイ１が不意の外力によりキャビネット本体１から外れてしまうことを抑制することができる。
【００３１】
収納トレイ２は、底面部６の一端側から下方へ向かって立設された第三立壁部１６と、底面部６の他端側から下方へ向かって立設された第四立壁部１８と、を備えている。これらの役割は、後に詳述する。
【００３２】
図３に示すように、底面側第一固定部１２ａは、第二立壁部１０より第一立壁部８に近い位置に設けられている。底面側第二固定部１２ｂは、第一立壁部８より第二立壁部１０に近い位置に設けられている。底面側第一固定部１２ａ及び底面側第二固定部１２ｂは、第一立壁部８と第二立壁部１０との間における中央線Ａから略等距離となる位置に設けられている。
より詳述すると、第一立壁部８から第二立壁部１０までの長さがＤ１とすると、第一立壁部８から中央線Ａまでの長さ、及び、第二立壁部１０から中央線Ａまでの長さ、はＤ１／２である。この際、底面側第一固定部１２ａから中央線Ａまでの長さであるＤ２は、底面側第二固定部１２ｂから中央線Ａまでの長さであるＤ３と、ほぼ等しい。なお、本発明における「略等距離」とは、例えば、それぞれの長さの差分（Ｄ３とＤ２との差分）が、５ミリメートル（ｍｍ）以内のものも含むものとする。
【００３３】
このことより、収納トレイ２を第一状態と第二状態とに切り替えてキャビネット本体１に設置する際に、底面側第一固定部１２ａが固定されていた被固定部１４に対して底面側第二固定部１２ｂを固定させることができ、また、底面側第二固定部１２ｂが固定されていた被固定部１４に対して底面側第一固定部１２ａを固定させることができる。したがって、極めて簡単な構造で、第一状態と第二状態とを切り替え可能な収納トレイ２を着脱自在にキャビネット本体１に固定することができる。また、底面側第一固定部１２ａ及び底面側第二固定部１２ｂは第一立壁部８と第二立壁部１０との間における中央線から等距離となる位置に設けられているため、収納トレイ２を第一状態でキャビネット本体１に設置したときの第一立壁部８の位置は、収納トレイ２を第二状態でキャビネット本体１に設置したときの第二立壁部１０の位置と、略同一となる。よって、第一状態の収納トレイ２と第二状態の収納トレイ２とで、収納トレイ２が設置されたキャビネット本体１を正面から見た際の見え方が統一される。したがって、収納トレイ２が設置されたキャビネット本体１を正面から見た際の美観が損なわれることを抑制できる。
【００３４】
図４は、図３の収納トレイをキャビネット本体に取り付ける過程を示す模式的断面図である。
【００３５】
図４に示すように、収納トレイ２をキャビネット本体１に取り付け、固定させるためには、収納トレイ２をキャビネット本体１の被固定部１４の上方から、下方へ移動させる。そして、被固定部１４は、例えば、長棒形状のバー部材である。底面側第一固定部１２ａ及び底面側第二固定部１２ｂに被固定部１４を嵌め込み、固定させる。底面側第一固定部１２ａ及び底面側第二固定部１２ｂには、それぞれ内側に突起が突出しており、底面側第一固定部１２ａ及び底面側第二固定部１２ｂに被固定部１４を嵌め込む際には、被固定部１４はこの突起を乗り越え、底面側第一固定部１２ａ及び底面側第二固定部１２ｂそれぞれの内部に挿入（取り付け）される。底面側第一固定部１２ａ及び底面側第二固定部１２ｂそれぞれの内部に挿入（取り付け）された被固定部１４は、これら突起によって、不意の外力が加わっても容易に外れないように構成されている。なお、本取り付け構成は、収納トレイ２が第一状態であっても第二状態であっても、実現できる。
【００３６】
図５は、図４の収納トレイがキャビネット本体に取り付けられた状態を示す模式的断面図である。
【００３７】
図５に示すように、不意に矢印方向の外力（キャビネット本体１に取り付けられた状態における収納トレイ２の前方側において下方から突き上げられる力）が加わったとしても、第一立壁部８がキャビネット本体１の収納空間内部の奥側面に当接することで、収納トレイ２が回転してしまうことを防ぐことができる。なお、本回転防止構成は、収納トレイ２が第一状態であっても第二状態であっても、実現できる。収納トレイ２が第一状態であった場合は、第二立壁部１０がキャビネット本体１の収納空間内部の奥側面に当接することで、収納トレイ２が回転してしまうことを防ぐことができる。収納トレイ２が第二状態であった場合は、第一立壁部８がキャビネット本体１の収納空間内部の奥側面に当接することで、収納トレイ２が回転してしまうことを防ぐことができる。
【００３８】
図６は、第一状態の図２の収納トレイに物品が収納された状態を示す模式的断面図である。図７は、図６の物品が収納された収納トレイを示す模式的正面図である。
【００３９】
図６、７に示すように、第一状態の収納トレイ２に背の高い物品（例えば化粧液ボトル２０など）や、背がそれなりに高い物品（例えば化粧乳液ボトル２２など）が収納されていても、第一立壁部８によって、これら物品の落下を防ぐことができる。
【００４０】
図８は、第二状態の図２の収納トレイに物品が収納された状態を示す模式的断面図である。図９は、図８の物品が収納された収納トレイを示す模式的正面図である。
【００４１】
図８、９に示すように、第二状態の収納トレイ２に背の低い物品（例えばコンタクトレンズケース２４や倒れたマニキュアケース２６など）や、背がそれなりに高い物品（例えば化粧乳液ボトル２２や直立して載置されたマニキュアケース２６など）が収納されていても、第二立壁部１０によって、これら物品の落下を防ぎつつ、物品の視認性を確保することができる。
【００４２】
本発明の収納トレイ２は、上下両面に収納面を設けていないため、収納トレイ２全体の高さに対して物品を収納できる深さを大きく確保することができ、収納トレイを必要以上に大型化することなく背の高い物品の落下をより確実に防止できる。
【００４３】
図１０は、図１のキャビネットの正面に使用者が位置している状態を示す模式的断面図である。
【００４４】
図１０に示すように、女性や子供など背の低い使用者であっても、本発明の収納トレイ２を第二状態でキャビネット本体１に設置すれば、収納トレイ２がキャビネット１００内のどの高さであっても、比較的容易に、収納トレイ２内に収納された物品を視認することができる。また、収納トレイ２は、前後反転させることで、第一状態と第二状態とを容易に切り替えることができるため、使用者の好みや、収納したい物品に合わせて、収納された物品の落下防止性を重視する第一状態か、収納された物品の視認性を重視する第二状態か、を選択できる。
【００４５】
図１１は、本発明の第２の実施の形態に係るキャビネットが備えている収納トレイを示す模式的断面図である。図１２は、図１１における収納トレイを第一状態でキャビネット本体に取り付ける過程を示す模式的断面図である。図１３は、図１１における収納トレイを第二状態でキャビネット本体に取り付ける過程を示す模式的断面図である。
なお、図１１（ａ）は、本発明の第２の実施の形態に係る収納トレイが第一状態でキャビネット本体に取り付けられた状態を示す模式的断面図であり、図１１（ｂ）は、本発明の第２の実施の形態に係る収納トレイが第一状態でキャビネット本体に取り付けられた状態を示す模式的断面図である。
【００４６】
図１１に示すように、本発明の第２の実施の形態に係る収納トレイ２Ａにおいては、収納トレイ２Ａの固定部１２Ａは、底面部６の下面に設けられ、収納トレイ２Ａが第一状態である際に被固定部１４に固定可能な第一固定部２８と、底面部６の下面に設けられ、収納トレイ２Ａが第二状態である際に被固定部１４に固定可能な第二固定部３０と、を有している。
【００４７】
第一固定部２８は、被固定部１４を横から（底面部６と略平行な方向から）挿入可能な第一横嵌合部３２と、第一横嵌合部３２より第一立壁部８寄りに設けられており、被固定部１４を上方から挿入可能な第一縦嵌合部３４と、有している。
【００４８】
第二固定部３０は、被固定部１４を横から（底面部６と略平行な方向から）挿入可能な第二横嵌合部３６と、第二横嵌合部３６より第二立壁部１０寄りに設けられており、被固定部１４を上方から挿入可能な第二縦嵌合部３８と、有している。
【００４９】
収納トレイ２Ａが第一状態である際に第一固定部２８が固定されている被固定部１４の第一立壁部８と第二立壁部１０との間における中央線Ａからの距離は、収納トレイ２Ａが第二状態である際に第二固定部３０が固定されている被固定部１４の中央線Ａからの距離と、略同一である。
より詳述すると、第一立壁部８から第二立壁部１０までの長さがＤ４とすると、第一立壁部８から中央線Ａまでの長さ、及び、第二立壁部１０から中央線Ａまでの長さ、はＤ４／２である。この際、第一縦嵌合部３４に挿入された被固定部１４から中央線Ａまでの長さであるＤ５は、第二縦嵌合部３８に挿入された被固定部１４から中央線Ａまでの長さであるＤ６と、ほぼ等しい。また、この際、第一横嵌合部３２に挿入された被固定部１４から中央線Ａまでの長さであるＤ７は、第二横嵌合部３６に挿入された被固定部１４から中央線Ａまでの長さであるＤ８と、ほぼ等しい。本発明の第２の実施の形態に係る収納トレイ２Ａにおいては、Ｄ５、Ｄ６、Ｄ７、Ｄ８は、ほぼ同一である。
なお、本発明における「略同一」及び「ほぼ等しい」とは、例えば、それぞれの長さの差分（Ｄ５とＤ６との差分、又は、Ｄ７とＤ８との差分）が、５ミリメートル（ｍｍ）以内のものも含むものとする。
【００５０】
このことより、極めて簡単な構造で、第一状態と第二状態とを切り替え可能な収納トレイ２Ａを着脱自在にキャビネット本体１に固定することができる。また、収納トレイ２Ａが第一状態である際に第一固定部２８が固定されている被固定部１４の第一立壁部８と第二立壁部１０との間における中央線Ａからの距離は、収納トレイ２Ａが第二状態である際に第二固定部３０が固定されている被固定部１４の中央線Ａからの距離と、略同一であるため、収納トレイ２Ａを第一状態でキャビネット本体１に設置したときの第一立壁部８の位置は、収納トレイ２Ａを第二状態でキャビネット本体１に設置したときの第二立壁部１０の位置と、略同一となる。よって、第一状態の収納トレイ２Ａと第二状態の収納トレイ２Ａとで、収納トレイ２Ａが設置されたキャビネット本体１を正面から見た際の見え方が統一される。したがって、収納トレイ２Ａが設置されたキャビネット本体１を正面から見た際の美観が損なわれることを抑制できる。
【００５１】
本発明の第２の実施の形態に係る収納トレイ２Ａにおいては、収納トレイ２Ａをキャビネット本体１に固定させた状態では、一方の被固定部１４に嵌合している第一横嵌合部３２又は第二横嵌合部３６は、他方の被固定部１４に嵌合している第一縦嵌合部３４又は第二縦嵌合部３８より、キャビネット本体１内における後方に位置している。したがって、収納トレイ２Ａをキャビネット本体１に固定させた状態において、収納トレイ２Ａの前方側に上方から荷重が加わった際にも、被固定部１４に嵌合している第一横嵌合部３２又は第二横嵌合部３６の嵌合状態（固定状態）が解除されてしまうことを、第一横嵌合部３２又は第二横嵌合部３６の底面が被固定部１４に当接することによって防止できる。
【００５２】
図１２に示すように、収納トレイ２Ａを第一状態でキャビネット本体１に取り付ける際には、まず被固定部１４を横から（底面部６と略平行な方向から）第一横嵌合部３２に挿入し、嵌合（固定）させる。そして、第一横嵌合部３２に嵌合された被固定部１４を軸に収納トレイ２Ａを下方へ回転させ、他の被固定部１４を第一縦嵌合部３４に挿入し、嵌合（固定）させる。
【００５３】
図１３に示すように、収納トレイ２Ａを第二状態でキャビネット本体１に取り付ける際には、まず被固定部１４を横から（底面部６と略平行な方向から）第二横嵌合部３６に挿入し、嵌合（固定）させる。そして、第二横嵌合部３６に嵌合された被固定部１４を軸に収納トレイ２Ａを下方へ回転させ、他の被固定部１４を第二縦嵌合部３８に挿入し、嵌合（固定）させる。
【００５４】
このような取り付け方法により、使用者による収納トレイ２Ａの取り付けミスを防止できる。
即ち、本発明の第１の実施の形態に係る収納トレイ２においては、収納トレイ２を被固定部１４の上方から載置させる際に、固定部１２と被固定部１４の位置がずれてしまうと、固定部１２と被固定部１４が嵌合しないため、収納トレイ２が固定されない。また、第三立壁部１６又は第四立壁部１８によって、収納トレイ２の正面に居る使用者は、固定部１２と被固定部１４との嵌合状態を視認できないため、この非固定状態に気付かない。一方で、本発明の第２の実施の形態に係る収納トレイ２Ａにおいては、収納トレイ２Ａを固定するためには、収納トレイ２Ａを被固定部１４の上方からそのまま載置させるものではなく、第一横嵌合部３２又は第二横嵌合部３６に一方の被固定部１４を嵌合させ、第二横嵌合部３６に嵌合された被固定部１４を軸に収納トレイ２Ａを下方へ回転させ、他方の被固定部１４を第一縦嵌合部３４又は第二縦嵌合部３８に挿入させるものであるため、誤って固定部１２Ａと被固定部１４が嵌合させずに収納トレイ２Ａを載置させてしまうことを抑制できる。また、仮に、収納トレイ２Ａを被固定部１４の上方からそのまま載置させてしまった場合には、被固定部１４と収納トレイ２Ａの底面とが当接することにより、被固定部１４が第三立壁部１６又は第四立壁部１８によって隠蔽されないため、収納トレイ２Ａの正面に居る使用者は、固定部１２Ａと被固定部１４との非嵌合状態を視認でき、収納トレイ２Ａの非固定状態に気付くことができる。
【００５５】
第一縦嵌合部３４及び第二縦嵌合部３８には、それぞれ内側に突起が突出しており、第一縦嵌合部３４及び第二縦嵌合部３８に被固定部１４を嵌め込む際には、被固定部１４はこの突起を乗り越え、第一縦嵌合部３４及び第二縦嵌合部３８それぞれの内部に挿入（取り付け）される。第一縦嵌合部３４及び第二縦嵌合部３８それぞれの内部に挿入（取り付け）された被固定部１４は、これら突起によって、不意の外力が加わっても容易に外れないように構成されている。
【００５６】
図１４は、本発明の第３の実施の形態に係るキャビネットが備えている収納トレイを示す模式的斜視図である。図１５は、図１４の収納トレイが取り付けられたキャビネット本体を示す模式的斜視図である。図１６は、図１４の収納トレイをキャビネット本体に取り付ける過程を示す模式的断面図である。
なお、図１４（ａ）は、本発明の第３の実施の形態に係る収納トレイが第一状態である場合を示す模式的斜視図であり、図１４（ｂ）は、本発明の第３の実施の形態に係る収納トレイが第二状態である場合を示す模式的斜視図である。
【００５７】
図１４〜１６に示すように、本発明の第３の実施の形態に係る収納トレイ２Ｂは、収納トレイの側面を形成する２枚の側壁部４０と、それぞれの側壁部４０から外側へ向かって突出するように設けられた第一突起４２及び第二突起４４と、をさらに備えている。
【００５８】
キャビネット１Ａは、内部空間の左右内壁面の前方の端部（前端）から後方へ向かって切り欠かれた切り欠き部４６を備えている。切り欠き部は、第一突起４２及び第二突起４４が嵌合することで収納トレイ２Ｂの上下方向の動きを規制する。
【００５９】
このように、収納トレイ２Ｂの側壁部４０にそれぞれ設けられた第一突起４２及び第二突起４４を切り欠き部４６に嵌合させるだけで、第一状態と第二状態とを切り替え可能な収納トレイ２Ｂを着脱自在にキャビネット本体１Ａに設置することができる。よって、極めて簡単な構造で、第一状態と第二状態とを切り替え可能な収納トレイ２Ｂをキャビネット本体１Ａに着脱自在に設置することができる。
【００６０】
この切り欠き部４６の前端には、キャビネット１Ａに取り付けられた収納トレイ２Ｂの前方方向への移動を規制する当接部（規制手段）４８が設けられている。当接部４８は、それぞれの側壁部４０に設けられたそれぞれの切り欠き部４６の前端に設けられている。
【００６１】
キャビネット１Ａに収納トレイ２Ｂを取り付けるには、まず、切り欠き部４６の前端であって切り欠き部４６内における当接部４８の上方から収納トレイ２Ｂの第一突起４２及び第二突起４４を、底面部６に対して水平方向に、挿入させる。その後、収納トレイ２Ｂの支持状態を解除させると、収納トレイ２Ｂ自身の荷重によって、収納トレイ２Ｂは下方に移動する。この状態においては、収納トレイ２Ｂは、当接部４８によって前方方向への移動を規制されている。
【００６２】
このように、収納トレイ２Ｂの前方方向への移動を規制する当接部４８を備えたことにより、収納トレイ２Ｂの側壁部４０にそれぞれ設けられた第一突起４２及び第二突起４４を切り欠き部４６に嵌合させ、第一状態と第二状態とを切り替え可能な収納トレイ２Ｂを着脱自在にキャビネット本体１Ａに設置した際にも、当接部４８によって、収納トレイ２Ｂの前方方向への移動を規制することができる。したがって、収納トレイ２Ｂに前方方向への外力が加わった際にも、収納トレイ２Ｂがキャビネット本体１Ａから外れて落下してしまうことを防ぐことができる。
【００６３】
以上、本発明の実施の形態について説明した。しかし、本発明はこれらの記述に限定されるものではない。
【００６４】
本発明のキャビネット１００は、洗面台の上方に設置されるもののみでなく、例えば、トイレルームやキッチン、浴室等に設置されるものも含む。
【００６５】
前述の実施の形態に関して、当業者が適宜設計変更を加えたものも、本発明の特徴を備えている限り、本発明の範囲に包含される。例えば、キャビネット１００などが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００６６】
１、１Ａ キャビネット本体、  ２、２Ａ、２Ｂ 収納トレイ、  ４ ミラー、  ６ 底面部、  ８ 第一立壁部、  １０ 第二立壁部、  １２、１２Ａ 固定部、  １２ａ 底面側第一固定部、  １２ 底面側第二固定部、  １４ 被固定部、  １６ 第三立壁部、  １８ 第四立壁部、  ２０ 化粧液ボトル、  ２２ 化粧乳液ボトル、  ２４ コンタクトレンズケース、  ２６ マニキュアケース、  ２８ 第一固定部、  ３０ 第二固定部、  ３２ 第一横嵌合部、  ３４ 第一縦嵌合部、  ３６ 第二横嵌合部、  ３８ 第二縦嵌合部、  ４０ 側壁部、  ４２ 第一突起、  ４４ 第二突起、４６ 切り欠き部、  ４８ 当接部（規制手段）、  １００ キャビネット
【図１】
0006443822.tif 000002
【図２】
0006443822.tif 000003
【図３】
0006443822.tif 000004
【図４】
0006443822.tif 000005
【図５】
0006443822.tif 000006
【図６】
0006443822.tif 000007
【図７】
0006443822.tif 000008
【図８】
0006443822.tif 000009
【図９】
0006443822.tif 000010
【図１０】
0006443822.tif 000011
【図１１】
0006443822.tif 000012
【図１２】
0006443822.tif 000013
【図１３】
0006443822.tif 000014
【図１４】
0006443822.tif 000015
【図１５】
0006443822.tif 000016
【図１６】
0006443822.tif 000017